(57)【要約】  会社等の個々の電力消費装置の電力消費を測定する装置及びシステムである。簡単な装置は各消費装置に対する結合を行い、好ましくはジグビー技術によって、そこから発生された信号を中央受信機へ送信し、そこで信号は処理される。適切であるならば、フィードバックがそれぞれの消費装置に設けられる。中央処理装置はそれぞれの消費についての情報をシステムの消費装置へ与えるように構成されることができるだけでなく、所望の消費との比較を表示するようにプログラムされることもできる。適切であるならば別々の消費装置がそれぞれ表示されることができる。特に、特定の電力消費等が超過されたならば、ユーザのうちの一人への電力の通過が切断される回路が提供されることができる。例えばエネルギ企業が装置に結合される消費装置を遠隔で遮断及び接続することも可能である。【選択図】図１
2010517135.tif 000002
【特許請求の範囲】
【請求項１】
エネルギ消費装置（13-15）のエネルギ消費を検出するためのセンサ（31）と、前記センサから発生する信号を処理するプロセッサ（32）と、その信号を中央処理装置へ送信するため短い距離で動作する送信機（33）とを具備する装置（1、21）において、前記装置（1、21）は前記ユーザの給電線（7、27）に直接結合する手段を具備し、前記装置は前記送信機（33）と組み合わせられた受信機（44）を具備し、前記受信機は前記中央処理装置から信号を受信するように構成されており、前記受信機は前記エネルギ消費装置へ電力を伝達するために前記装置に存在するスイッチ（36）を切り換えるように構成されていることを特徴とする装置（1、21）。
【請求項２】
ジグビーで動作する送信機を具備している請求項１記載の装置。
【請求項３】
複数のエネルギ消費装置（13-15）のエネルギ消費を検出するための複数の装置を具備するシステムにおいて、前記各装置は前記エネルギ消費装置のエネルギ消費を検出するためのセンサと、前記センサから発生する信号を処理するためのプロセッサと、その信号を中央処理装置（34）へ送信するための短距離にわたって動作し前記装置（1、21）に対して受信機およびプロセッサを共有する送信機とを具備し、前記中央処理装置は前記受信機データを他のデータと比較するための比較手段を含み、少なくとも１つの装置（1、21）は前記送信機（33）と組み合わせられている受信機（44）を具備し、その受信機は前記中央装置から信号を受信するように構成され、その受信機は前記エネルギ消費装置へ電力を通過するため前記装置に存在するスイッチ（36）を切り換え、中央処理装置には前記受信機を動作する送信機が設けられているシステム。
【請求項４】
前記他のデータは先に入力された値を含んでいる請求項３記載のシステム。
【請求項５】
前記中央処理装置はその比較結果として装置を接続するように構成されている請求項３または４記載のシステム。
【請求項６】
前記中央処理装置はコンピュータと通信するための出力が与えられているミニコンピュータ（34）を具備している請求項３乃至５のいずれか１項記載のシステム。
【請求項７】
前記中央処理装置には前記送信機（43）の制御のために遠隔的に動作されることができる入力部（45）が設けられている請求項３乃至６のいずれか１項記載のシステム。
【請求項８】
前記入力部はインターネット接続を具備している請求項７記載のシステム。
【請求項９】
前記入力部は無線接続を具備している請求項７または８記載のシステム。
【請求項１０】
それぞれに送信機制御スイッチ（36）が設けられている種々の装置（1、21）を具備し、前記中央処理装置は関係するスイッチの切り換えを単独で決定するために調節可能である請求項３乃至９のいずれか１項記載のシステム。
【発明の詳細な説明】
【技術分野】
【０００１】
本発明は請求項１の前提部分に記載されている装置に関する。
【背景技術】
【０００２】
このタイプの装置は家庭で使用されるシステムを記載しているDE-100 64 165明細書から知られており、ここでは電力計が各電力の消費装置に隣接して取付けられている。電力計が配置される位置はDE-100 64 165明細書では特定されていない。
【０００３】
GB-2 416 852明細書はユーザとアウトレットとの間に接続される装置を開示しており、現場のそれぞれの装置の消費を表示する。幾つかの方法では、消費に関連される単位当りの価格が入力されることができ、総価格の値段が消費と組み合わせて計算されることができる。さらに、装置は特定の価格の最高限度を超過するとオフに切換わるように設定されることができる。
【０００４】
エネルギを節約しようとする願望によって、特定の消費装置の実際の電力消費を知る必要性が増加する。換言すると、総エネルギ使用はもはや唯一の考慮する要素ではなく、代わりにこの使用がどのように増加するかが調査される。ユーザはこのような使用が時間の大部分において効率的ではないことを認識するので、このことは特定の消費装置のエネルギの使用においてかなりの減少を可能にすることが分かっている。例には照明、全てのタイプの機器の電力供給等を含んでいる。
【０００５】
個々の消費装置を測定するための現在知られている装置は設置が容易ではない。それらは熟練した取付け工により行われる特別な作業を必要とし、全てそれに関連される価格がかかる。
【発明の概要】
【０００６】
本発明の目的は、エネルギの消費が測定されることを可能にするこのタイプの装置の使用の限界を下げることである。
【０００７】
この目的は請求項１の特徴により実現される。
【０００８】
本発明によれば、エネルギの消費を測定し、それを中央処理装置等のようなある地点へ送信するための装置はもはやアウトレット或いはさらに建物中に設けられる電気的インフラストラクチャに組み込まれないで、それぞれのユーザの給電線またはその接続部に転送される。その結果として、ユーザはもはや建物中の予め存在する電気的インフラストラクチャに頼らず、それぞれの装置の各消費装置は特定の簡単な方法で設けられることができる。電力の使用者に対する電力の供給を行う受信機の存在によって、このタイプの電力のユーザは中央処理装置を使用して遠隔で接続または切断されることができる。この接続は任意の想像可能な理由で実行されることができる。遮断の理由の例には支払い問題または接続期間中のネットワークの局部的な過負荷である。換言すると、例えば洗濯機及び乾燥器の両者がこのタイプの装置に設けられているならば、および例えばグループに接続されているならば、２つのうちの一方が遮断される可能性がある。
【０００９】
多数の接続による相当量の負荷から生じる最大負荷の場合、完全に異なる制御が使用されることができる。中央処理装置は全体としてそれぞれの接続のエネルギ消費が減少されるべきことを遠隔的に決定する。この場合、それぞれの中央処理装置は（一時的に）装置の特別なアイテムを切断するために遠隔的に付勢される。さらにこのことはエネルギ企業が種々の率で供給し、この種々の率の供給を特定の消費装置の切断に連結することを可能にする。
【００１０】
短距離にわたって動作する送信機はブルーツュースのような技術で知られている任意のプロトコルを使用して動作できる。
【００１１】
しかしながら、好ましくはジグビーで動作する送信機を使用する。
【００１２】
原理的に、このタイプの装置を取付ける可能性は複数存在する。
【００１３】
第１に、装置、即ちランプ、コンピュータ、オーディオビデオ機器またはこのタイプの装置が消費装置で一体化されることが可能である。
【００１４】
しかしながらさらに重要なことは、他の２つの可能性、即ち装置のそれぞれのアイテムとそのプラグとの間に供給ケーブルを取付けることである。さらに別の可能性は壁に取り付けられるモジュール、または装置のそれぞれのアイテムのプラグとアウトレットの間の間に配置される中間ピースの使用である。これらの最後の２つの可能性は容易に新しい型式に変更されることができる。
【００１５】
壁に取り付けられるモジュールを組み込む１実施形態では、この壁に取り付けられるモジュールは好ましくはプラグが設けられたソケットからなる。好ましくは両素子はコンパクトなハウジング中に取付けられる。受信機、送信機、継電器、センサ等のようなコンポーネントがそれぞれのハウジング中に取付けられる。プラグを装置のそれぞれのアイテムに接続するケーブルが直接作用される実施形態では、装置のこのアイテムは危険がなく任意のユーザにより取り付けられることができるように構成されることが好ましい。好ましくは、装置のアイテムは内部の切断の動作またはクリッピング動作の結果として、本発明による装置がケーブルに取付けられると、一方のケーブルが切断され、装置に位置される回路で接続されるように構成される。この実施形態でもまた受信機、送信機、継電器、センサ等が設けられる。明らかに電力消費はそれぞれのケーブルを切断せずにセンサにより測定されることもできる。しかしながらケーブルの切断は切り換え動作が実行されることを可能にする。
【００１６】
さらに本発明は多数のエネルギ消費装置のエネルギ消費を検出するための多数の装置を具備するシステムに関し、ここで各装置はエネルギ消費装置のエネルギ消費を検出するためのセンサと、前記センサから発生する信号を処理するためのプロセッサと、その信号を中央処理装置および前記装置に対して中央であり受信機とプロセッサを有する処理装置へ送信するため短距離にわたって動作する送信機とを具備し、ここで中央処理装置は前記受信機データを他のデータと比較するための比較手段を組込み、少なくとも１つの装置は前記送信機と組み合わせられている受信機を具備し、受信機はその中央点から信号を受信するように構成され、受信機は前記エネルギ消費装置へ電力を伝達するため装置に存在するスイッチを切り換え、中央処理装置には受信機を動作する送信機が設けられている。
【００１７】
比較手段の使用によって、ユーザはそのユーザの使用がどのように特定の基準値に関連するかを容易に観察することができる。特定の基準値は消費装置について別々に決定されることができる。ユーザは特定の基準値に基づいて手段を講じることができる。しかしながら、特別な値が超過されたならば自動的に手段を講じることも可能である。したがって、例えば特定の消費装置を接続するか切断することが可能である。
【００１８】
中央処理装置は通常のパーソナルコンピュータを含むことができる。しかしながら、ディスプレイが設けられるか設けられない別のミニコンピュータを使用することもでき、好ましくはバッファおよび／または処理装置として動作する。ミニコンピュータは（一時的に）通常の方法で動作するコンピュータに連結されることができる。パーソナルコンピュータではない中央処理装置を使用する結果として、非常に少ない電力を消費する非常に小さい実施形態でも十分である可能性がある。その場合、このタイプの別の中央処理装置にはディスプレイが設けられる必要はない。ネットワークと消費装置との間に接続され中央処理装置と通信する装置にはディスプレイも設けられることができるが、このタイプのディスプレイは装置から省略されることが好ましい。特に、ユーザは（パーソナル）コンピュータと組み合わせられるか組み合わせられない中央処理装置から状態を容易に検出できる。
【００１９】
このシステムはさらに電気的使用だけでなく、ガス、水、電話機、インターネット、ケーブルテレビジョンのような他の公共施設の使用の管理も可能にする。
【００２０】
さらに、使用量をエネルギ供給者に転送することが可能である。オランダでは、したがって前払いされた月々の料金を実際に使用されたエネルギに対する月の料金に置換することが可能である。このようにして消費者は特定の機器の使用の結果を直ちに見ることができる。
【００２１】
さらにかなりの距離で相互に離れて設定されている多数の装置を使用するならば、短距離にわたって動作する送信機では十分ではない。このようなケースでは、装置の特別なグループから信号を傍受しそれを中央処理装置へ転送する支援局が設けられることができる。さらにこのタイプのネットワークの構造は、何等かの理由で中間局の１つが故障したならば、別の中間局がその行為を引き継ぐことができるように構成されることができる。
【図面の簡単な説明】
【００２２】
【図１】本発明によるシステムが設けられたハウスの概略図である。
【図２】本発明による壁に取り付けられるモジュールを示す図である。
【図３】ケーブル中に組み込まれる本発明によるモジュールを示す図である。
【図４】ケーブル中に組み込まれる本発明によるモジュールを示す図である。
【図５】ケーブル中に組み込まれる本発明によるモジュールを示す図である。
【図６】ケーブル中に組み込まれる本発明によるモジュールを示す図である。
【図７】図面に示されているモジュールの機能の概略図である。
【図８】図７に示されているシステムの変形を示す図である。
【図９】前述のシステムを具備するネットワークを示す図である。
【発明を実施するための形態】
【００２３】
本発明を以下、図面に示されている例示的な実施形態を参照して詳細に説明する。  
図１は種々のユーザを含む家を示している。これらのユーザはケーブル７を有するランプ13、冷蔵庫14、ケーブル27を有するテレビジョン15である。全てのユーザはケーブルを介してアウトレット４へ接続されている。
【００２４】
本発明による装置１または21は全てのケースでアウトレット４とそれぞれの消費装置との間で接続される。受信機34により受信され中央処理装置により処理されることが可能なこれらの信号の送信が概略的に示されている。この場合、受信機34がミニコンピュータで構成されることが可能であり、即ちデータを受信及び記憶することができる。さらにミニコンピュータは好ましくは単一の動作を行うことができ、（小さい）ディスプレイが設けられることができる。このタイプの受信機は特にＰＣと比較して少量のエネルギしか消費しない。一時的にＰＣ35へ連結することによって、以下説明するようにユーザは容易にそれぞれの値を読み、影響を与えることができる。受信機／中央処理装置34はＰＣ35へ挿入されるためのスティックとして構成されることができる。結果としてユーザは各消費装置13-15の消費の全時間を知る。特にユーザは各消費装置の個々の消費を知り、適切ならば手段を講じることができる。
【００２５】
図２は装置１の１例を示している。アウトレットは参照符合４により示され、プラグ９はそれぞれの消費装置のケーブル７に固定される。本発明によれば、壁に取り付けられるモジュール１が使用されることができる。壁に取り付けられるモジュールはソケット部５とプラグ部６からなる。これはユーザがアウトレット４とプラグ９との間に壁に取り付けられるモジュールを接続することを可能にする。壁に取り付けられるモジュールは図７乃至９を参照して説明するように電子装置を含んでいる。
【００２６】
図３乃至６は本発明の別の例を示している。消費装置のケーブルはこの場合参照符合27により示され、導体19と28からなり、この消費装置には通常の方法でプラグまたは家の電気的インフラストラクチャに対する他の接続が与えられる。
【００２７】
本発明によれば、ケーブル27の周りに容易に位置されることができる装置21を使用する。これは分離された導体を包囲する。装置21は相互に関して蝶番付けができるように取付けられた２つの部品29、30からなる。この部品にはそれぞれ導体を受けるためのレセプタクル18が設けられている。この場合、クリッピング装置42が１つの側面に設けられている。部品29と30が共に接合されるとき、絶縁されたクリッピング装置42は図６に示されているように（電気）導体28を２つに分割する。各ケーブル部品は以下説明するようにそれぞれの接触点17を介して電子装置に接触する。他の導体19は接触部16を介して電力を消費する。接触点17は継電器36を介して接続されることができる。
【００２８】
図７はケーブル27、接触点17で切断されている単なる導体28を示している。接触点はそれに接続する継電器36とセンサ31につながっている。センサ31は（継電器36が閉じられるとき）ケーブル28を通過するエネルギ量を測定するために使用され、この量はプロセッサ32で処理され、それは部品29または30でも受信される。これに基づいて、送信機33はジグビープロトコル又は別のプロトコルにしたがって、部品29または30の１つで信号を受信機34へ送信するために使用される。処理後、信号は次にラップトップのようなプロセッサ35へ送信される。この例では、受信機34はミニコンピュータ中に一体化されるが、これは別のコンピュータに接続されることもできる。このタイプのミニコンピュータは特に少量のエネルギを使用し、ラップトップが接続されるときそれぞれのデータをラップトップに供給するために記憶メモリとして動作することができる。さらにこのタイプのミニコンピュータはエネルギ供給業者にエネルギ消費に関するデータが提供されることを可能にする。このミニコンピュータはラップトップと独立して動作できる。ラップトップでは、ユーザはケーブル27に接続されている消費装置15が何を使用しているかを見ることができる。この場合、ラップトップ35は消費装置15の最適の使用を示す表を含むことができる。さらに特定値が超過されるとき、信号は送信機43を使用してラップトップ35からアクチブに送信されることができ、その結果として継電器36は部品29または30の一方に存在する受信機44を介して励起され、それぞれの消費装置15が切断される。
【００２９】
特にジグビー技術の使用はエネルギ消費が特に低く維持されることを可能にする。したがって装置1、21にエネルギネットワークと独立した電力供給と、比較的長い耐用年数を有する前述の送信機のためのそれぞれのハウジング中で使用される電池を取付けることが可能である。
【００３０】
装置1、21と中央処理装置34、35との間に接続を設けることが非連続的に可能である。これは周期的に実行されることができ、したがってエネルギ消費がさらに制限され、電池の交換等を必要とせずにさらに装置1、21の耐用年数を長くすることを可能にする。ジグビー技術は比較的大きい距離が橋絡され、それによって任意の家、会社等に容易に前述の実施形態が設けられることができる。明白に種々のコンポーネントには組込みソフトウェアであってもなくてもよいソフトウェアが設けられることができる。
【００３１】
図８は図７に示されているシステムに実質的に対応するシステムを示している。対応する部品には同じ参照符合が与えられている。
【００３２】
しかしながら、図７に示されている実施形態とは対照的に、受信機／中央処理装置34には入力部45が設けられている。この入力部は例えばインターネット接続または（無線）ＧＰＲＳモデムであることができる。中央処理装置34はしたがって遠隔で影響されることができる。図８の実施形態は２個のユーザ装置13、14を示しており、本発明によりその一方には装置１が与えられ、一方には装置21が与えられている。両者にはそこで一体化されている受信機44も与えられており、それによって送信機43を介して一方または両者の継電器36を接続又は遮断することができる。
【００３３】
入力部である外部接続45は例えばエネルギ企業により二人のユーザ13または14の一方（または両者）が遠隔で接続されることを可能にする。これは例えば未払いの料金、建物中のエネルギ供給の過負荷の脅威、または比較的大規模、即ち接続の大きなグループにおける過負荷の脅威の場合に可能である。したがって例えばピーク負荷を自動的に除去することが可能である。これは例えば冷蔵庫及び洗濯機のような直ちに動作する必要のない装置13、14の場合に使用されることができる。その接続は通常３０分以上難儀なく遅延されることができ、ネットワークのピーク負荷が顕著に落ちることを可能にする。
【００３４】
図９は比較的大きい空間における本発明の実行を概略的に示している。受信機／中央処理装置は参照符合34により示され、ここで説明されている方法でラップトップに接続されることができる。このタイプの受信機／中央処理装置は例えば容易にＰＣへ挿入されるようにスティックとして構成されることができるが、他の実施形態も可能である。多数の装置1、21が示されている。このスペースは比較的大きいので、全ての装置が受信機34と直接通信することを可能にできない。それ故、中間局50が設けられる。各装置1、21はそれぞれの中間局50と通信し、それぞれの中間局50は受信機34と通信する。ある状態下で、中間局50は受信機34と通信することができないか、反対に、受信のために与えられた送信機43がそれぞれの中間局50と通信することができない可能性がある。その場合、通信は別の中間局50を介して行われることができる。それぞれのユーザ1/21が別の中間局50を介して受信機34と通信することも可能である。装置1、21は例えばＭＥＳＨネットワークで相互に通信することができる。
【００３５】
本発明はユーザ装置13-15が接続され切断されることを可能にする。これは内部クロックのような装置1、21自体に存在する情報を使用して実行されることができる。（適切ならば中央クロックを使用して）遠隔で接続及び切断することも可能である。別のユーザ装置13-15又は複数のユーザの使用の要約を生成することも可能である。時間にわたって要約されるように、比較が可能である。
【００３６】
前述の説明を読み、当業者は特許請求の範囲内である変形を容易に考えるであろう。
【図１】
2010517135.tif 000003
【図２】
2010517135.tif 000004
【図３】
2010517135.tif 000005
【図４】
2010517135.tif 000006
【図５】
2010517135.tif 000007
【図６】
2010517135.tif 000008
【図７】
2010517135.tif 000009
【図８】
2010517135.tif 000010
【図９】
2010517135.tif 000011
【国際調査報告】
2010517135.tif 000012
2010517135.tif 000013
2010517135.tif 000014